(57)【要約】【課題】  部品点数の削減を図り、カメラの小型化及びコストを削減する。【解決手段】  ファインダユニット４０を構成するファインダベース４５に有底円筒形状をしたモータベース４７が一体に形成されている。モータベース４７は、ファインダべース４５の底面から下方向に突出している。モータベース４５の底面には開口部４８とビス穴４９が設けられている。開口部４８から給送モータ３８の回転軸に取り付けられた駆動ギア５２を挿入させ、モータベース４５と給送モータ３８をネジ５３で固定する。ファインダユニット４０が本体基部に取り付けられると、給送モータ３８はフイルム室のスプール３０内に配置される。駆動ギア５２はファインダベース４５の上面に設けられた伝達ギアと噛合する。これにより、給送モータ３８の駆動力が本体基部とファインダベース４５の間に配置された駆動伝達機構に伝達され、フイルムの巻き取りと巻き戻しが行われる。【選択図】        図４
2005195736.tif 000002
【特許請求の範囲】
【請求項１】
フイルムパトローネの装填室と巻取りスプールが設けられたフイルム巻取り室とが設けられた本体基部と、本体基部にその上面を覆うように固定され、ファインダ光学系が組み込まれたファインダベースとを備えた写真カメラにおいて、
前記ファインダベースにフイルム巻取り室の上方に達する延長部を一体に形成し、この延長部に前記巻取りスプールの内部に収容されるフイルム給送用のモータを固定するとともに、前記モータの駆動軸に固定した駆動ギアに噛み合う伝達ギアを設けたことを特徴とする写真カメラ。
【請求項２】
前記装填室の上部にフイルムパトローネの巻軸に係合する巻き戻し軸を固着した巻き戻しギアが設けられ、前記伝達ギアの回転を巻き戻しギアに伝達する駆動伝達機構が本体基部の上面と前記ファインダベースとの間に設けられていることを特徴とする請求項１記載の写真カメラ。
【請求項３】
前記駆動伝達機構を構成する複数のギアを回転自在に支持する支軸が本体基部の上面に突設され、前記ファインダベースにはこれらの支軸の先端部が入り込む穴が形成されていることを特徴とする請求項２記載の写真カメラ。
【発明の詳細な説明】
【技術分野】
【０００１】
本発明は写真カメラに関し、フイルムの巻き取り及び巻き戻しをモータによって行う写真カメラに関するものである。
【背景技術】
【０００２】
近年のコンパクトカメラとしては、写真フイルムが収納されたパトローネからスプールへ写真フィルムを巻き取る操作と、スプールに巻き取られた写真フィルムをパトローネ内に巻き戻す操作を、給送モータによって自動で行うカメラが普及している。例えば、予備巻き式カメラでは、給送モータの駆動力をスプールまたは巻戻し軸に選択的に伝達させて、フイルム装填時には巻取り室のスプールを駆動して予備巻きを行い、パトローネ内の写真フイルムの全てを一旦スプールに巻き取る。そして、撮影時にはパトローネの巻軸に係合する巻戻し軸を駆動して写真フイルムを１コマずつパトローネに巻き戻す。
【０００３】
上記の給送モータは設置スペースの関係上、本体基部に設けられた巻取り室のスプール内に収容されている。そして、給送モータは巻取り室上部に配置され、本体基部に固定された減速地板に固定されている。この減速地板には、ギア列からなる駆動伝達機構が設けられており、給送モータの駆動ギアと噛合して巻取り軸やスプールを回転させる。また、装填室と巻取り室の間の本体基部上面には、ファインダ光学系などを設けたファインダベースが取り付けられている。
【発明の開示】
【発明が解決しようとする課題】
【０００４】
しかしながら、本体基部とは別に減速地板を設けて、駆動伝達機構や給送モータを固定すると、部品点数が増加するためコストがかかり、組み立ての効率も悪くなる。さらに、本体基部に減速地板を配置するために、より多くのスペースが必要となるのでカメラの小型化の妨げとなる。
【０００５】
本発明は、上記問題を解決するために部品点数の削減により、カメラ本体の小型化及びローコスト化に寄与し、組み立ての容易な写真カメラを提供することを目的とする。
【課題を解決するための手段】
【０００６】
本発明の写真カメラは、フイルムパトローネの装填室と巻取りスプールが設けられたフイルム巻取り室とが設けられた本体基部と、本体基部にその上面を覆うように固定され、ファインダ光学系が組み込まれたファインダベースとを備えた写真カメラにおいて、前記ファインダベースにフイルム巻取り室の上方に達する延長部を一体に形成し、この延長部に前記巻取りスプールの内部に収容されるフイルム給送用のモータを固定するとともに、前記モータの駆動軸に固定した駆動ギアに噛み合う伝達ギアを設けたものである。また、前記装填室の上部にフイルムパトローネの巻軸に係合する巻き戻し軸を固着した巻き戻しギアが設けられ、前記伝達ギアの回転を巻き戻しギアに伝達する駆動伝達機構が本体基部の上面と前記ファインダベースとの間に設けられたものである。なお、前記駆動伝達機構を構成する複数のギアを回転自在に支持する支軸が本体基部の上面に突設され、前記ファインダベースにはこれらの支軸の先端部が入り込む穴が形成されることが好ましい。
【発明の効果】
【０００７】
本発明によれば、ファインダベースにフイルム巻取り室の上方に達する延長部を一体に形成し、この延長部に巻取りスプールの内部に収容されるフイルム給送用のモータを固定するとともに、モータの駆動軸に固定した駆動ギアに噛み合う伝達ギアを設け、本体基部の上面とファインダベースの間に駆動伝達機構を設けて伝達ギアと噛合させたので、部品点数が削減し、カメラ本体の小型化及びローコスト化を行うことができる。
【０００８】
また、モータの駆動ギアと噛合する伝達ギアがファインダベースに設けられており、更に、駆動力伝達機構を構成する複数のギアを回転自在に支持する支軸が本体基部の上面に突設され、ファインダベースにはこれらの支軸に先端が入り込む穴が形成されているので、ファインダベースの位置きめが容易に行えるとともに、組み立てを効率的に行うことができる。
【発明を実施するための最良の形態】
【０００９】
図１に本発明を備えたカメラの外観斜視図を示す。カメラ１０の前カバー１２及び後カバー１３は、各種撮影機構や、カメラの動作を制御するマイコンやセンサなどの電子部品等が組み付けられる本体基部に、前後から覆うように取り付けられている。カメラ１０の前面には、開口部１４、撮影レンズ１５、ストロボ発光部１６、ファインダ対物窓１７、ストロボスイッチ１８、バリア操作つまみ１９が設けられている。バリア操作つまみ１９が図に示す使用位置の時には、前カバー１２に形成された開口部１４から撮影レンズ１５が露呈し、バリア操作つまみ１９が不使用位置にスライド操作されると、不図示のレンズバリアが撮影レンズ１５を覆う。
【００１０】
カメラ１０の上面には、シャッタボタン２０と撮影枚数の確認を行う表示窓２１が設けられている。カメラ１０の背面には、写真フィルムを交換する際に開閉される裏蓋２３と、ファインダ接眼窓２４が設けられている。
【００１１】
図２及び図３に示すように、本体基部１１には、写真フイルム２６を装填したパトローネ２７を収納する装填室２８と、パトローネ２７から引き出された写真フイルム２６をスプール３０に巻き付けて収納する巻取り室３１が一体に形成されている。装填室２８の上部には、巻戻しギア３５が設けられている。この巻戻しギア３５には、パトローネ２７内で写真フイルム２６を巻き付ける巻軸２７ａと係合する巻戻し軸３６が形成されている。巻取り室３１のスプール３０内には給送モータ３８が収容されている。この給送モータ３８の駆動によってスプール３０に写真フイルム２６の巻き取りと、パトローネ３０に写真フイルム２６の巻き戻しを行う。カメラ１０の本体基部１１の上部には、ファインダユニット４０が取り付けられる。このファインダユニット４０と本体基部１１の間には、スプール３０内に配置された給送モータ３８の駆動力を選択的にスプール３０と巻戻し軸３６に伝達させるための駆動力伝達機構４１が設けられている。
【００１２】
図４に示すように、ファインダユニット４０は、ファインダベース４５、ファインダケース４６、モータベース４７、対物及び接眼レンズ（図示せず）から構成されている。板状のファインダベース４５には、ファインダケース４６が一体に形成されており、ファインダケース４６には対物レンズと接眼レンズがそれぞれ組み込まれる。ファインダベース４５は、本体基部１１の中央部に設けられた写真フイルム２６の露光範囲を決めるアパーチャ５０から巻取り室３１の上方を覆って本体基部１１にネジで固定される。そして、巻取り室３１の上部に位置するファインダベース４５には、スプール３０内に収容される給送モータ３８を固定する有底円筒形状のモータベース４７が一体に形成されている。
【００１３】
モータベース４７は、ファインダべース４５の底面から下方向に突出して形成されている。モータベース４７の底面には開口部４８とビス穴４９が設けられている。開口部４８から給送モータ３８の駆動軸に取り付けられた駆動ギア５２をファインダベース４５の上面から突出するまで挿入し、給送モータ４８をモータベース４５にネジ５３で固定する。ファインダベース４５上面には、挿入された駆動ギア５２に噛合する伝達ギア５６がファインダベース４５に形成された支持軸４５ａに回転自在に設けられている（図２参照）。伝達ギア５６は、大小２種類のギアが一体に形成された二段ギアである。
【００１４】
給送モータ３８の駆動ギア５２は、伝達ギア５６の径の大きい方と噛合する。伝達ギア５６の径の小さい方は、給送ギア５７を介して遊星ギアユニット６０の太陽ギア６８に給送モータ３８の駆動力を伝達する。
【００１５】
図２及び図３に示すように、駆動伝達機構４１は、遊星ギアユニット６０、連結ギア６１〜６５で構成されており、本体基部１１の長手方向に沿って本体基部１１とファインダベース４５の間に配置されている。そして、遊星ギアユニット６０や連結ギア６１〜６３は本体基部１１に設けられた支軸５９によって支持されている。連結ギア６４は連結ギア６５のシャフト６５ａを挿入させる穴６４ａが設けられており、連結ギア６５はファインダユニット４０が本体基部１１に組み付けられた後で、ファインダベース４５に設けられた軸孔４５ｂから軸６５ａを挿入させて連結ギア６４と接続する。これにより、装填室２８の上方に設けられた巻戻しギア３５に給送モータ３８の駆動力を伝達させる。また、ファインダベース４５の底面には、ファインダベース４５を本体基部１１に組み付けた際に、支軸５９の先端部が入り込む支軸穴４５ｃが形成されている。この支軸穴４５ｃが支軸５９に入り込むことでファインダベース４５の位置決めを容易にしている。
【００１６】
遊星ギアユニット６０は、クラッチ板６７、太陽ギア６８、遊星ギア６９から構成されている。駆動ギア５２から伝達ギア５６、給送ギア５７を介して太陽ギア６８に伝達された駆動力は遊星ギア６９に伝達される。遊星ギア６９は、給送モータ３８が正転駆動と反転駆動との切替えに応じて公転方向を変更し、連結ギア６１またはスプール３０に設けられたスプールギア３０ａに駆動力を切替えて伝達するクラッチとして作用する。
【００１７】
上記実施形態の作用を説明する。図５に示すように、カメラ１０で予備巻き上げを行う際には、給送モータ３８を正転駆動させる。すると、給送ギア５７から太陽ギア６８に給送モータ３８の駆動力が伝達され、遊星ギア６９は時計周りに公転する。そして、遊星ギア６９がスプールギア３０ａと噛合してスプール３０を回転させる。この時、スプール３０に設けられた突起部３０ｂに（図４参照）パトローネ２７から予め引き出されていた写真フイルム２６のパーフォレーション２６ａを係合させておくことで、パトローネ２７に装填された写真フイルム２６は全てスプール３０に巻き取られる。
【００１８】
図６に示すように、写真フイルム２６をコマ送りする際には、給送モータ３８を反転駆動する。すると、遊星ギア６９は反時計回りに公転するので、遊星ギア６９は連結ギヤ６１と噛合する。そして、給送モータ３８の駆動力を連結ギア６１〜６５を介して伝達させて巻戻しギア３５を回転させる。これにより、パトローネ３０内の巻軸２７ａに撮影済みの写真フイルム２６が巻き戻される。なお、写真フイルム２６をパトローネ２７内に巻き戻す量は、例えばパーフォレーション２６ａの通過個数を光電検出することによって監視され、カメラ１０に内蔵されたマイコンによって給送モータ３８を制御することで、１コマ送りごとにアパーチャ５０の背後に次撮影コマが位置決めされる。  
【００１９】
また、本実施例では、駆動伝達機構４１に連結ギア列を用いたが、タイミングベルトやドライブシャフトを用いて給送モータ３８の駆動力を巻戻しギア３５及びスプール３０に伝達させてもよい。また、予備巻き上げ式のカメラを例に説明したが、撮影ごとにスプール３０に写真フイルム２６を巻き取って、撮影終了後にパトローネ２７へ写真フイルム２６を全て巻き戻すタイプのカメラでもよい。
【図面の簡単な説明】
【００２０】
【図１】本発明を用いた写真カメラを示す外観斜視図である。
【図２】本発明を用いた写真カメラを示す分解斜視図である。
【図３】モータベースが形成されたファインダベースを示す外観斜視図である。
【図４】駆動伝達機構の構成を示す斜視図である。
【図５】予備巻き時における駆動伝達機構の概略図である。
【図６】コマ送り時における駆動伝達機構の概略図である。
【符号の説明】
【００２１】
１０  カメラ
１１  本体基部
２７  パトローネ
２８  装填室
３０  スプール
３１  巻取り室  
３６  巻戻し軸
３８  給送モータ
４５  ファインダベース
【図１】
2005195736.tif 000003
【図２】
2005195736.tif 000004
【図３】
2005195736.tif 000005
【図４】
2005195736.tif 000006
【図５】
2005195736.tif 000007
【図６】
2005195736.tif 000008